【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
外部装置と通信する通信手段を有する撮像装置であって、
撮像手段を用いた撮影モードにするか、前記通信手段を用いた通信モードにするかを選択するモード選択手段と、
記憶媒体に最後に格納した画像データが、前記撮影モードで得られた画像データであるのか、前記通信モードで得られた画像データであるのかを判別するための情報を記憶保持する記憶保持手段と、
前記モード選択手段で選択している現在のモードと、前記記憶保持手段で保持されているモードとを比較し、新規フォルダを作成するか否かを判定する判定手段と、
前記モードのいずれかで前記記憶媒体に格納する画像データが得られた場合であって、前記判定手段が新規フォルダ作成と判定した場合、前記記憶媒体に新規フォルダを作成し、当該新規フォルダ内に前記画像データをファイルとして格納し、
前記判定手段が新規フォルダ作成しない判定した場合、前記記憶媒体内の既存のフォルダ内に前記画像データをファイルとして格納するファイル管理手段と
を備えることを特徴とする撮像装置。
【請求項２】
更に、前記判定手段が新規フォルダを作成すると判定した場合に、現在のモードで画像を取得する前に、次に画像を取得することに応じて新規フォルダが作成されることを報知する報知手段を備えることを特徴とする請求項１に記載の撮像装置。
【請求項３】
前記報知手段は、撮像装置が有する表示手段に、フォルダ作成予告を示すアイコンを表示することを特徴とする請求項２に記載の撮像装置。
【請求項４】
外部装置と通信する通信手段を有する撮像装置の制御方法であって、
撮像手段を用いた撮影モードにするか、前記通信手段を用いた通信モードにするかを選択するモード選択工程と、
記憶媒体に最後に格納した画像データが、前記撮影モードで得られた画像データであるのか、前記通信モードで得られた画像データであるのかを判別するための情報を記憶保持する記憶保持手段を参照し、最後の画像データを保存した際のモードと、前記モード判定工程で判定された現在のモードとを比較し、新規フォルダを作成するか否かを判定する判定工程と、
前記モードのいずれかで前記記憶媒体に格納する画像データが得られた場合であって、前記判定工程が新規フォルダ作成と判定した場合、前記記憶媒体に新規フォルダを作成し、当該新規フォルダ内に前記画像データをファイルとして格納し、
前記判定工程が新規フォルダ作成しない判定した場合、前記記憶媒体内の既存のフォルダ内に前記画像データをファイルとして格納するファイル管理工程と
を備えることを特徴とする撮像装置の制御方法。
【請求項５】
撮像手段で得られた画像データを、記憶媒体に保存すると共に、外部装置と通信する通信手段を有する撮像装置であって、
前記記憶媒体に保存する画像を取得するため、前記撮像手段を用いた撮影モードにするか、前記通信手段を用いた通信モードにするかを選択するモード選択手段と、
前記記憶媒体に最後に格納した画像データが、前記撮影モードで得られた画像データであるのか、前記通信モードで得られた画像データであるのかを判別するための情報を記憶保持する記憶保持手段と、
前記記憶媒体内にフォルダを強制的に作成するか否かを設定する第１の設定手段と、
前記記憶媒体内にフォルダの作成／非作成を自動で行なうか否かを設定する第２の設定手段と、
前記モード選択手段で選択している現在のモードと、前記記憶保持手段で保持されているモードとが一致するか否かを判定する判定手段と、
前記モードのいずれかで前記記憶媒体に格納すべき画像データが得られた際、前記第１、第２の設定手段による設定、及び、前記判定手段の判定結果に基づいて、前記画像データをファイルとして前記記憶媒体に格納するファイル管理手段とを備え、
前記ファイル管理手段は、
（ａ）前記第１の設定手段によって強制的にフォルダ作成が設定されている場合、前記記憶媒体に新規フォルダを作成し、当該新規フォルダ内に前記画像データをファイルとして格納し、
（ｂ）前記第１の設定手段によって強制的にフォルダ作成が設定されていず、且つ、前記第２の設定手段によって、フォルダ作成／非作成を自動で行なうことが設定されていた場合であって、前記判定手段によって不一致と判定した場合、前記記憶媒体に新規フォルダを作成し、当該新規フォルダ内に前記画像データをファイルとして格納し、
（ｃ−１）前記第１の設定手段で強制的にフォルダ作成が設定されていず、且つ、前記第２の設定手段によってフォルダ作成／非作成を自動で行なわないことが設定されている場合、或いは、（ｃ−２）前記判定手段で一致すると判定された場合、前記記憶媒体内の既存のフォルダ内に前記画像データをファイルとして格納することを特徴とする撮像装置。
【請求項６】
更に、前記判定手段が新規フォルダを作成すると判定した場合に、現在のモードで画像を取得する前に、次に画像を取得することに応じて新規フォルダが作成されることを報知する報知手段を備えることを特徴とする請求項１に記載の撮像装置。
【請求項７】
前記報知手段は、撮像装置が有する表示手段に、フォルダ作成予告を示すアイコンを表示することを特徴とする請求項６に記載の撮像装置。
【請求項８】
撮像手段で得られた画像データを、記憶媒体に保存すると共に、外部装置と通信する通信手段を有する撮像装置の制御方法であって、
前記記憶媒体に保存する画像を取得するため、前記撮像手段を用いた撮影モードにするか、前記通信手段を用いた通信モードにするかを選択するモード選択工程と、
前記記憶媒体内にフォルダを強制的に作成するか否かを設定する第１の設定工程と、
前記記憶媒体内にフォルダの作成／非作成を自動で行なうか否かを設定する第２の設定工程と、
前記記憶媒体に最後に格納した画像データが、前記撮影モードで得られた画像データであるのか、前記通信モードで得られた画像データであるのかを示す情報を記憶している記憶保持手段を参照し、最後に画像データを格納した際のモードと、前記モード選択工程で選択している現在のモードとが一致するか否かを判定する判定工程と、
前記モードのいずれかで前記記憶媒体に格納すべき画像データが得られた際、前記第１、第２の設定工程による設定、及び、前記判定工程の判定結果に基づいて、前記画像データをファイルとして前記記憶媒体に格納するファイル管理工程とを備え、
前記ファイル管理工程は、
（ａ）前記第１の設定工程によって強制的にフォルダ作成が設定されている場合、前記記憶媒体に新規フォルダを作成し、当該新規フォルダ内に前記画像データをファイルとして格納し、
（ｂ）前記第１の設定工程によって強制的にフォルダ作成が設定されていず、且つ、前記第２の設定工程によって、フォルダ作成／非作成を自動で行なうことが設定されていた場合であって、前記判定工程によって不一致と判定した場合、前記記憶媒体に新規フォルダを作成し、当該新規フォルダ内に前記画像データをファイルとして格納し、
（ｃ−１）前記第１の設定工程で強制的にフォルダ作成が設定されていず、且つ、前記第２の設定工程によってフォルダ作成／非作成を自動で行なわないことが設定されている場合、或いは、（ｃ−２）前記判定工程で一致すると判定された場合、前記記憶媒体内の既存のフォルダ内に前記画像データをファイルとして格納する処理を行なうことを特徴とする撮像装置の制御方法。
【請求項９】
データを記憶媒体中のフォルダに記録する画像処理装置であって、
外部装置と接続するための接続手段と、
前記接続手段により前記外部装置と接続後、前記外部装置からのデータの受信を検知する検知手段と、
前記検知手段によりデータの受信を検知した場合、予め設定された新規フォルダ作成条件に基づいて、当該データの保存先フォルダを、前記記憶媒体中の既存フォルダと、前記記憶媒体中に存在しない新規フォルダの中から決定する保存先決定手段と、
前記検知手段によってデータの受信を検知した場合、前記保存先が前記新規フォルダであるときは新規フォルダを前記記憶媒体に作成するフォルダ作成手段と、
前記フォルダ作成手段により作成されたフォルダに、当該受信によって得られたデータを記録する記録手段と
を有することを特徴とする画像処理装置。
【請求項１０】
データを記憶媒体中のフォルダに記録する画像処理装置の制御方法であって、
外部装置と接続するための接続工程と、
前記接続工程により前記外部装置と接続後、前記外部装置からのデータの受信を検知する検知工程と、
前記検知工程によりデータの受信を検知した場合、予め設定された新規フォルダ作成条件に基づいて、当該データの保存先フォルダを、前記記憶媒体中の既存フォルダと、前記記憶媒体中に存在しない新規フォルダの中から決定する保存先決定工程と、
前記検知工程によってデータの受信を検知した場合、前記保存先が前記新規フォルダであるときは新規フォルダを前記記憶媒体に作成するフォルダ作成工程と、
前記フォルダ作成工程により作成されたフォルダに、当該受信によって得られたデータを記録する記録工程と
を有することを特徴とする画像処理装置の制御方法。
【手続補正２】
【補正対象書類名】明細書
【補正対象項目名】０００９
【補正方法】変更
【補正の内容】
【０００９】
かかる課題を解決するため、例えば本発明の撮像装置は以下の構成を備える。すなわち、
外部装置と通信する通信手段を有する撮像装置であって、
撮像手段を用いた撮影モードにするか、前記通信手段を用いた通信モードにするかを選択するモード選択手段と、
記憶媒体に最後に格納した画像データが、前記撮影モードで得られた画像データであるのか、前記通信モードで得られた画像データであるのかを判別するための情報を記憶保持する記憶保持手段と、
前記モード選択手段で選択している現在のモードと、前記記憶保持手段で保持されているモードとを比較し、新規フォルダを作成するか否かを判定する判定手段と、
前記モードのいずれかで前記記憶媒体に格納する画像データが得られた場合であって、前記判定手段が新規フォルダ作成と判定した場合、前記記憶媒体に新規フォルダを作成し、当該新規フォルダ内に前記画像データをファイルとして格納し、
前記判定手段が新規フォルダ作成しない判定した場合、前記記憶媒体内の既存のフォルダ内に前記画像データをファイルとして格納するファイル管理手段とを備える。
【手続補正３】
【補正対象書類名】明細書
【補正対象項目名】００６２
【補正方法】変更
【補正の内容】
【００６２】
つまり、記録媒体２００、２１０に格納する画像データの発生源は、外部装置と、本実施形態のデジタルカメラの２通りになる。以下では、説明を単純にするため、画像データの発生源が外部装置であることを「画像データ発生源が外部である」、画像データ発生源がデジタルカメラであることを「画像データ発生源が内部である」という。